(57)【要約】      （修正有）【課題】排水ソケットを取り換える際に、床面に設けられている既存のネジ穴を再利用することで、床面に対して新たにネジ穴を設けることなく排水ソケットを固定できる床フランジを提供する。【解決手段】排水管の端部が露出した床面にネジ固定され、排水管と接続される排水ソケットを床面に固定する床フランジ１００であって、排水管が挿通される開口１１２、及び、開口１１２の周囲において、床面に設置する設置面１１８と設置面１１８とは反対側に形成される上端面１１４を有するフランジ部１１０と、フランジ部１１０の開口１１２から少なくとも３方向に形成される目印部１２０と、を備えるようにした。【選択図】図５
2016069847.tif 000002
【特許請求の範囲】
【請求項１】
排水管の端部が露出した床面にネジ固定され、前記排水管と接続される排水ソケットを床面に固定する床フランジであって、
前記排水管が挿通される開口、及び、前記開口の周囲において、前記床面に設置する設置面と前記設置面とは反対側に形成される上端面を有するフランジ部と、
前記フランジ部の前記開口から少なくとも３方向に形成される目印部と、
を備える床フランジ。
【請求項２】
前記フランジ部は、前記設置面及び前記上端面との間に形成される中間面を有し、
前記中間面は、前記フランジ部を床面に設置したときに、前記床面に対して離間対向する請求項１に記載の床フランジ。
【請求項３】
前記開口の中心点を頂点としたとき、互いに隣り合う前記目印部のなす角度は、他の互いに隣り合う前記目印部のなす角度と等しい、請求項１又は請求項２に記載の床フランジ。
【発明の詳細な説明】
【技術分野】
【０００１】
本発明は、床面に対して排水ソケットを固定する床フランジに関する。
【背景技術】
【０００２】
水洗大便器の排水口と床面に設けられた排水管は排水ソケットを介して接続されることが一般的である（特許文献１参照。）。そのため、既存の水洗大便器を取り外して、別の水洗大便器を取り付ける場合、水洗大便器と排水管とを接続する排水ソケットも取り換える場合がある。また、トイレ室の床面には排水管や、床下暖房用の配線等が埋設されている場合がある。
【先行技術文献】
【特許文献】
【０００３】
【特許文献１】特開平９−２９１５８２号公報
【発明の概要】
【発明が解決しようとする課題】
【０００４】
排水ソケットは床面にネジで固定するため、既存の排水ソケットの床面固定用ネジ穴と、新しい排水ソケットの床面固定用ネジ穴の位置が異なる場合には、既存のネジ穴とは別位置に新たなネジ穴を開けて取り付ける場合があった。
【０００５】
この時、新しい排水ソケットのネジ穴位置が床下暖房用の配線などの位置と重なっている場合には、新たなネジ穴を開けると排水管や床下暖房用の配線などを傷つけてしまう恐れがあった。
【０００６】
本発明はこのような課題に鑑みてなされたものであり、その目的は、排水ソケットを取り換える際に、床面に設けられている既存のネジ穴を再利用することで、床面に対して新たにネジ穴を設けることなく排水ソケットを固定できる床フランジを提供することである。
【課題を解決するための手段】
【０００７】
上記課題を解決するために、第１の態様は、排水管の端部が露出した床面にネジ固定され、前記排水管と接続される排水ソケットを床面に固定する床フランジであって、前記排水管が挿通される開口、及び、前記開口の周囲において、前記床面に設置する設置面と前記設置面とは反対側に形成される上端面を有するフランジ部と、前記フランジ部の前記開口から少なくとも３方向に形成される目印部と、を備える床フランジである。
【０００８】
このような構成の床フランジを用いて、既存の排水ソケットから新しい排水ソケットに取り換える際には、まず、床面から取り外した既存の排水ソケットのネジ穴の位置を床フランジに転写する。
排水ソケットには、排水ソケットの排水管接続部の中心と、排水管の中心を一致させるために、排水ソケットの側面等に排水管接続部の中心から少なくとも３方向に位置調整目印が設けられているものがあるため、既存の排水ソケットのネジ穴の位置を床フランジに対して転写する時には、フランジ部に形成されている目印部と、排水ソケットに形成されている位置調整目印とによって、床フランジに対する既存の排水ソケットの位置を位置合わせした状態でネジ穴の位置の転写を行う。
続いて、床フランジに新しい排水ソケットのネジ穴の位置を転写する。このときにも、フランジ部に形成されている目印部と、排水ソケットに形成されている位置調整目印とによって、床フランジに対する既存の排水ソケットの位置を位置合わせした状態で転写を行う。このようにすることで、床フランジには既存の排水ソケットのネジ穴の位置と、新しい排水ソケットのネジ穴の位置が転写された状態となる。
既存の排水ソケットと新しい排水ソケットは、開口部から少なくとも３方向に形成される目印部によって、床フランジに対して位置合わせした状態で、そのネジ穴の位置が転写されるので、２つの排水ソケットの排水心の前後左右の位置と、排水ソケットの取付角度を一致させることができる。これにより、床フランジを介して新しい排水ソケットを取り付けた際に、新しい排水ソケットの排水心が排水管の排水心からずれたり、既存の排水ソケットの取付方向からずれたりすることを防ぐことができる。
そして、この床フランジを介して新しい排水ソケットを床面に固定する際には、例えば、既存の排水ソケットのネジ穴の位置を用いて床フランジの設置面を床面に向けた状態で床面に固定し、新しい排水ソケットは、床フランジに転写された新しい排水ソケットのネジ穴の位置を用いて床フランジの上端面に固定する。これにより、床フランジは既存の排水ソケットのネジ穴の位置を用いて床面に固定されるため、床面に設けられている既存のネジ穴を再利用することができる。そのため、床面に対して新たにネジ穴を設けることなく新しい排水ソケットを固定できる。
【０００９】
また、第２の態様は、第１の態様において、前記フランジ部は、前記設置面及び前記上端面との間に形成される中間面を有し、前記中間面は、前記フランジ部を床面に設置した時に、前記床面に対して離間対向する床フランジである。
【００１０】
排水管と床面との隙間はモルタルなどによって塞がれることが一般的である。そのため、排水管の周囲にはこのモルタルが盛り上がっている場合がある。このよう  なモルタルの盛り上がり以外にも、床面には多少の凹凸（不陸）が形成されている場合がある。この不陸が形成されている床面に対して、排水ソケットや大便器を床固定すると、不陸によって床フランジが変形してしまう場合がある。
このような構成によれば、フランジ部の開口の周囲には、フランジ部を床面に設置した時に、床面に対して離間対向する中間面によって、床面とフランジ部との間には空間が形成される。そのため、この空間によって、フランジ部と排水管の周りに形成された不陸が接触し難くなる。そのため、床フランジを不陸に接触することによって、床フランジが変形してしまうことを抑制することができる。
【００１１】
また、第３の態様は、第１の態様又は第２の態様において、前記開口の中心点を頂点としたとき、互いに隣り合う前記目印部のなす角度は、他の互いに隣り合う前記目印部のなす角度と等しい床フランジである。
【００１２】
このような構成によれば、互いに隣り合う目印部のなす角度が、他の互いに隣り合う目印部のなす角度と等しいため、フランジ部に形成されている目印部は、開口の中心点を基準とした円周上に、複数の隣り合う目印部間の角度が全て等しくなるように形成される。
そのため、床フランジに対して排水ソケットを位置合わせする際に、床フランジの目印部と、排水ソケットの位置調整目印とのズレを確認し易くすることができる。そのため、排水ソケットを床フランジに対して、精度良く位置合わせすることができる。
【発明の効果】
【００１３】
本発明によれば、排水ソケットを取り換える際に、床面に設けられている既存のネジ穴を再利用することで、床面に対して新たにネジ穴を設けることなく排水ソケットを固定できる床フランジを提供することができる。
【図面の簡単な説明】
【００１４】
【図１】第１実施形態の床フランジの平面図、及び、矢視断面図である。
【図２】既存の水洗大便器を取り外す工程を表した図である。
【図３】第１実施形態の床フランジに既存の排水ソケットのネジ穴位置を転写する工程について示した図である。
【図４】新しい排水ソケットのネジ穴位置、及び、新しい水洗大便器のボルトの位置が描かれた型紙を示す図である。
【図５】ネジ穴位置及びボルトの位置が転写された床フランジを示す図である。
【図６】固定片用床フランジに、既存の前方固定片のネジ穴位置、及び、新しい前方固定片のネジ穴の位置を転写する工程について示した図である。
【図７】床フランジを用いて、床面に取り付けた状態を示した図である。
【図８】床フランジを用いて、新しい排水ソケット６０を床面１０に取り付けた状態を示した図である。
【図９】新しい水洗大便器を取り付けた状態を示した図である。
【図１０】第１実施形態の床フランジの変形例を示す図である。
【発明を実施するための形態】
【００１５】
以下、添付図面を参照しながら本発明の実施の形態について説明する。説明の理解を容易にするため、各図面において同一の構成要素に対しては可能な限り同一の符号を付して、重複する説明は省略する。
【００１６】
＜第１実施形態＞
図１は第１実施形態の床フランジ１００の平面図、及び、矢視断面図である。図１（ａ）は床フランジ１００の平面図、図１（ｂ）は図１（ａ）のＢ−Ｂ線における矢視断面図、図１（ｃ）は図１（ａ）のＡ−Ａ線における矢視断面図である。
【００１７】
図１に示すように、第１実施形態の床フランジ１００は、略平板状のフランジ部１１０によって構成されている。フランジ部１１０には、後述する床面１０から立ち上がる排水管２０が挿通される円形状の開口１１２が形成されており、フランジ部１１０の下端面１１８が床面１０と接触するように設置される。そのため、フランジ部１１０の下端面１１８はフランジ部１１０の設置面となっている。
【００１８】
フランジ部１１０の下端面１１８とは反対側に形成される上端面１１４には、開口１１２を中心として４方向に目印部１２０が形成されている。具体的に説明すると、４つの目印部のうち２つの目印部１２０は、開口１１２の中心点を通る直線であるＡ−Ａ線に沿って形成されており、開口１１２を挟んでフランジ部１１０の両側に形成されている。残り２つの目印部１２０は、同じく開口１１２の中心点を通り、Ａ−Ａ線と直角となる直線であるＢ−Ｂ線に沿って形成されており、開口１１２を挟んでフランジ部１１０の両側に形成されている。
【００１９】
Ａ−Ａ線とＢ−Ｂ線は直角に交差するため、開口１１２の中心点を頂点としたとき、互いに隣り合う目印部１２０のなす角度は９０度であり、他の互いに隣り合う目印部１２０の成す角度も全て９０度である。
【００２０】
また、図１（ｂ）、及び、図１（ｃ）に示すように、開口１１２はフランジ部１１０の上端面１１４から下端面１１８に向けて、開口１１２の直径が広がるように拡径しており、その断面形状は台形形状となっている。そのため、開口１１２において、フランジ部１１０の上端面１１４と下端面１１８との間に形成される中間面１１６は床面１０とは接触しない。また、中間面１１６は傾斜面となっているため、フランジ部１１０を床面１０に設置した際に、床面１０と対向する。従って、中間面１１６は床面１０と離間対向しており、フランジ部１１０を床面１０に設置した際には、中間面１１６と床面１０との間に隙間が形成される。
【００２１】
続いて、第１実施形態の床フランジ１００を用いて、既存の排水ソケット４０を新しい排水ソケット６０に取り換える方法について図２〜図９を用いて説明する。
【００２２】
まず、図２を用いて既存の水洗大便器３０、及び、既存の排水ソケット４０を取り外す工程について説明する。図２（ａ）は床面１０に既存の水洗大便器３０、及び、既存の排水ソケット４０が取り付けられている様子を表した図である。
【００２３】
図２（ａ）に示すように、床面１０に対して既存の水洗大便器３０が取り付けられている。具体的には、この既存の水洗大便器３０は、その後方部分を既存の排水ソケット４０に設けられたボルト４２によって固定されており、その前方部分を既存の前方固定片５０にネジ固定されている。このように、既存の水洗大便器３０は既存の排水ソケット４０、及び、既存の前方固定片５０を介して床面１０に固定されている。また、既存の水洗大便器３０の排水口は、既存の排水ソケット４０を介して、床面１０に設けられた排水管２０に接続されている。
【００２４】
従って、既存の水洗大便器３０を取り外すと、図２（ｂ）に示すように、床面１０に取り付けられた既存の排水ソケット４０と既存の前方固定片５０が残される。この既存の排水ソケット４０、及び、既存の前方固定片５０は、ネジ４４、ネジ５２によって床面１０に固定されている。従って、ネジ４４、及び、ネジ５２を取り外すことによって、既存の排水ソケット４０、及び、既存の前方固定片５０を床面１０から取り外すことができる。
【００２５】
既存の排水ソケット４０、及び、既存の前方固定片５０を取り外すと、図２（ｃ）に示すように、排水管２０が露出する。また、床面１０には既存の排水ソケット４０を固定していたネジ４４のネジ穴４５、及び、既存の前方固定片５０を固定していたネジ５２のネジ穴５３が残っている。このネジ穴４５、及び、ネジ穴５３は床面１０の施工時に設けられたものであるため、予め床下暖房配線１２や床下配管部２２の位置がわかっており、これらを避けるようにして開けられている。
【００２６】
続いて、図３を用いて第１実施形態の床フランジ１００に既存の排水ソケット４０のネジ穴位置４６を転写する工程について説明する。図３（ａ）は第１実施形態の床フランジ１００に既存の排水ソケット４０を重ねている状態を表す図であり、図３（ｂ）は床フランジ１００のフランジ部１１０に既存の排水ソケット４０のネジ穴位置４６が転写された状態を表す図である。
【００２７】
まず、図１に示す床フランジ１００に対して、既存の排水ソケット４０のネジ穴位置４６を転写する。そのために、図３（ａ）に示すように、床面１０から取り外した既存の排水ソケット４０をフランジ部１１０の上端面１１４に乗せ、フランジ部１１０に形成されている目印部１２０と位置合わせする。既存の排水ソケット４０には、既存の排水ソケット４０の図示しない排水管接続部の中心（排水心）と排水管２０の中心を一致させるために、位置調整用凸部４８（位置調整用目印）が形成されている。従って、この位置調整用凸部４８と目印部１２０の位置を合わせて、既存の排水ソケット４０のネジ穴位置４６をフランジ部１１０に転写すると、この転写された床固定用ネジ穴１２２を用いて床フランジ１００を床面１０に固定した時に、開口１１２の中心と排水管２０を一致させることができる。
【００２８】
既存の排水ソケット４０を床フランジ１００に対して位置合わせした後に、既存の排水ソケット４０のネジ穴位置４６を転写するためには、例えば、既存の排水ソケット４０を位置合わせした状態で、ポンチ等の工具によって、既存の排水ソケット４０のネジ穴位置４６を床フランジ１００のフランジ部１１０に罫書き、その後、ドリルなどを用いて穴開け加工する。このようにすることで、図３（ｂ）に示すように、床フランジ１００に対して、既存の排水ソケット４０のネジ穴位置４６を床固定用ネジ穴１２２として転写することができる。
【００２９】
続いて、図４、及び、図５を用いて第１実施形態の床フランジ１００に新しい排水ソケット６０のネジ穴位置６６を転写する工程について説明する。図４は、新しい排水ソケットのネジ穴位置６６、及び、新しい水洗大便器７０のボルト７２の位置が描かれた型紙９０を示す図である。図５（ａ）は、図４の型紙９０を用いて、ネジ穴位置６６及びボルト７２の位置が転写された床フランジ１００を示す平面図、図５（ｂ）は図５（ａ）のＤ−Ｄ線における矢視断面図、図５（ｃ）は図５（ａ）のＣ−Ｃ線における矢視断面図である。
【００３０】
図４に示すように、型紙９０には、フランジ部１１０に設けられた目印部１２０と位置合わせするための、位置調整用中心線９２が２本引かれている。この２本の位置調整用中心線９２は排水管２０の中心で直角に交差するように引かれている。また、型紙９０には排水管２０の中心と位置調整用中心線９２を基準として、新しい排水ソケット６０のネジ穴位置６６、及び、新しい水洗大便器７０の後方部を固定するためのボルト７２の位置が原寸大で記入されている。
【００３１】
従って、型紙９０を用いることで、型紙９０に記入されている新しい排水ソケット６０のネジ穴位置６６、及び、新しい水洗大便器７０の固定用ボルト７２の位置をフランジ部１１０に転写することができる。この転写には、既存の排水ソケット４０のネジ穴位置４６を転写した時と同様に、ポンチ等の工具によって、新しい排水ソケット６０のネジ穴位置６６、及び、新しい水洗大便器７０の固定用ボルト７２の位置を床フランジ１００のフランジ部１１０に罫書き、その後、ドリルなどを用いて穴開け加工する。このようにすることで、図５（ａ）に示すように、床フランジ１００に対して新しい排水ソケット６０のネジ穴位置６６、及び、新しい水洗大便器７０の固定用ボルト７２の位置を排水ソケット固定用ネジ穴１２４として転写することができる。
【００３２】
また、図５（ｂ）、及び、図５（ｃ）に示すように、フランジ部１１０に転写された新しい水洗便器７０の固定用ボルト７２の穴位置には、固定用ボルト７２がフランジ部１１０の下端面１１８側から挿入されている。このとき、固定用ボルト７２の頭部７２ａがフランジ部１１０の下端面１１８から飛び出さないようにするため、フランジ部１１０の下端面には凹部１２６が形成されている。
【００３３】
平面上における物体の位置を指定するためには、横方向の位置及び縦方向の位置といった、平面上での２方向の情報と、その物体の向きを規定する情報が必要となる。そのため、２つの排水ソケットの位置と向きを一致させるためには、少なくとも３方向の目印部１２０が必要となる。これに関して、第１実施形態の床フランジ１００には、開口１１２の周囲４方向に目印部１２０が設けられているので、既存の排水ソケット４０と新しい排水ソケット６０の排水管２０に対する前後方向の位置と、取付角度を一致させることができる。これにより、床フランジ１００を介して新しい排水ソケット６０を取り付けた際に、新しい排水ソケット６０の図示しない排水管接続部が排水管２０からずれたり、既存の排水ソケット４０の取付方向からずれたりすることを防ぐことができる。
【００３４】
また、第１実施形態の床フランジ１００では、目印部１２０が開口１１２の中心点目印部１２０が開口１１２の中心点を頂点として、互いに隣り合う目印部１２０のなす角度が９０度となるよう、４か所に形成されている。このようにすることで、例えば、目印部１２０がある角度範囲に偏って形成されている場合に比べて、床フランジ１００に対するズレを確認し易くなる。この目印部１２０がある角度範囲に偏って形成されている場合とは、例えば、４つの目印部１２０の内の３つが、開口１１２の中心から９０度の範囲内にまとめて形成されている場合などである。そのため、第１実施形態の床フランジ１００では、床フランジ１００に対して既存の排水ソケット４０、又は、型紙９０を位置合わせする際に、床フランジ１００の目印部１２０とのズレを確認し易くなるため、既存の排水ソケット４０と、新しい排水ソケット６０を床フランジ１００に対して、精度良く位置合わせすることができる。
【００３５】
続いて、図６を用いて、新しい前方固定片８０を取り付けるための固定片用床フランジ２００に、既存の前方固定片５０のネジ穴位置５４、及び、新しい前方固定片８０のネジ穴８３の位置を転写する工程について説明する。
図６（ａ）は固定片用床フランジ２００の平面図、図６（ｂ）は図６（ａ）に示す固定片用床フランジ２００のＥ−Ｅ線断面図、図６（ｃ）は新しい前方固定片８０のネジ穴８３の位置が描かれた型紙９４を示す図、図６（ｄ）は既存の前方固定片５０のネジ穴位置５４、及び、新しい前方固定片８０のネジ穴８３が転写された固定片用床フランジ２００の平面図である。
【００３６】
まず、図６（ａ）、及び、（ｂ）に示す固定片用床フランジ２００に対して、既存の前方固定片５０のネジ穴５３のネジ穴位置５４を転写する。そのために、床面１０から取り外した既存の前方固定片５０を固定片用床フランジ２００の上端面２０２に乗せ、既存の前方固定片５０の中心を固定片用床フランジ２００の上端面２０２に形成された溝部２０８に合わせる。既存の前方固定片５０、及び、新しい前方固定片８０は左右対称形状となっているため、溝部２０８に中心を合わせることで、既存の前方固定片５０と新しい前方固定片８０の左右方向の位置を合わせることができる。
【００３７】
また、前後の位置に関しては、転写される既存の前方固定片５０のネジ穴位置５４が床固定用穴加工部２１０と重なる位置に合わせる。図６（ｂ）に示すように、固定片用床フランジ２００には床固定用穴加工部２１０以外の部分において、下端面２０４が凹んだ凹部２０６が形成されている。そのため、凹部２０６に既存の前方固定片５０のネジ穴位置５４を転写すると、固定片用床フランジ２００を床面１０に固定する際に、固定片用床フランジ２００が変形する恐れがあるので、既存の前方固定片５０のネジ穴位置５４が床固定用穴加工部２１０と重なるように前後の位置を合わせる。
【００３８】
次に、図６（ｃ）に示す新しい前方固定片８０のネジ穴８３の位置が描かれた型紙９４を用いて、固定片用床フランジ２００に新しい前方固定片８０のネジ穴８３の位置を転写する。型紙９４には、固定片用床フランジ２００の溝部２０８と位置合わせするために、位置調整用中心線９６が引かれている。そのため、この位置調整用中心線９６を溝部２０８に合わせて、ネジ穴８３の位置を転写する。型紙９４を用いて、ネジ穴８３の位置を転写する際には、前後の位置は、ネジ穴８３が凹部２０６に重なるように前後の位置を合わせる。これは、新しい前方固定片８０がボルト２１２によって固定されるので、ボルト２１２の頭部が固定片用床フランジ２００の凹部２０６に収まるようにするためである。このようにして、固定片用床フランジ２００に、既存の前方固定片５０のネジ穴位置５４、及び、新しい前方固定片８０のネジ穴８３が転写されると、固定片用床フランジ２００は図６（ｄ）に示す状態になる。
【００３９】
続いて、既存の排水ソケット４０のネジ穴位置４６、及び、新しい排水ソケット６０のネジ穴位置６６が転写された床フランジ１００を用いて、新しい排水ソケット６０を床面１０に取り付ける工程について図７、及び、図８を用いて説明する。
【００４０】
図７（ａ）は第１実施形態の床フランジ１００を床面１０に取り付けた状態を示す平面図、図７（ｂ）は図７（ａ）のＦ−Ｆ線における断面図、図７（ｃ）は図７（ｂ）の点線部Ｐにおける拡大図である。また、図８（ａ）は床フランジ１００を介して新しい排水ソケット６０が取り付けられた状態を示す平面図、図８（ｂ）は図８（ａ）のＧ−Ｇ線における断面図である。
【００４１】
図７（ａ）に示すように、床フランジ１００はフランジ部１１０に設けられた床固定用ネジ穴１２２を用いて、床面１０に固定される。床固定用ネジ穴１２２は既存の排水ソケット４０のネジ穴位置４６が転写されたものであるため、床固定用ネジ穴１２２は床面に既に開けられているネジ穴４５と一致するため、ネジ穴４５を再利用して、床フランジ１００を床面１０に固定することができる。
【００４２】
また、床フランジ１００と同様に固定片用床フランジ２００も、固定片用床フランジ２００に設けられたネジ穴位置５４を用いて、床面１０に固定される。固定片用床フランジ２００に設けられたネジ穴位置５４は既存の前方固定片５０のネジ穴５４が転写されたものであるため、固定片用床フランジ２００のネジ穴位置５４は床面１０に既に空けられているネジ穴５３と一致する。そのため、ネジ穴５３を再利用して固定片用床フランジ２００を床面１０に固定することができる。また、図７（ｂ）に示すように、新しい前方固定片８０は固定片用床フランジ２００に転写されたネジ穴８３に挿通されたボルト８４によって固定されている。
【００４３】
また、図７（ａ）、及び、（ｂ）に示すように、床固定用ネジ穴１２２を用いて床フランジ１１０を床面１０に固定することで、開口１１２の中心が排水管２０の中心と一致するため、図７（ａ）、及び、（ｂ）に示すように、床フランジ１００の開口１１２に排水管２０を通して固定することができる。
【００４４】
ここで、図７（ｃ）を用いて、床面１０に形成される不陸１４について説明する。図７（ｃ）に示すように、床面１０と排水管２０の間に隙間が形成される場合には、モルタル１６などによって塞がれることが一般的である。そのため、排水管２０の周囲にはこのモルタル１６が床面１０よりも盛り上がる部分ができるため、この床面１０よりも盛り上がっている部分が不陸１４となっている。この不陸１４に対して、床フランジ１００が接触した状態で、床フランジ１００を床面１０に固定すると床フランジ１００が変形してしまう。
しかし、第１実施形態の床フランジ１００の開口１１２には、フランジ部１１０の上端面１１４から下端面１１８に向けて開口１１２の直径が広がるように傾斜した中間面１１６が形成されているため、床フランジ１００を床面１０に固定した際に、この中間面と床面１０の間に隙間が形成され、排水管２０の周囲に形成される不陸１４との接触を防ぐことができる。そのため、床フランジ１００を床面１０に固定した時に、床フランジ１００が不陸１４に接触し変形してしまうことを抑制することができる。
【００４５】
続いて、床面１０に取り付けた床フランジ１００に新しい排水ソケット６０を取り付ける。新しい排水ソケット６０は床フランジ１００のフランジ部１１０に転写された排水ソケット固定用ネジ穴１２４にネジ６２によって固定される。このネジ６２は新しい排水ソケット６０を床フランジ１００に固定した際に、床フランジ１００の下端面１１８を越えない長さとなっている。そのため、排水ソケット固定用ネジ穴１２４を用いて新しい排水ソケット６０を固定することで、床面１０にネジ穴を空けることが無い。
【００４６】
このように、第１実施形態の床フランジ１００を用いることにより、床面１０に空けられている既存の排水ソケット４０のネジ穴４５を再利用して、新しい排水ソケット６０を取り付けることができるので、新しい排水ソケット６０を取り付ける際に、床面１０に新しくネジ穴を開けることがない。そのため、排水管２０の床下配管部２２や床下暖房配線１２などを傷つけてしまうのを抑制することができる。
また、固定片用床フランジ２００も、既存の前方固定片５０のネジ穴位置５３を再利用して新たな前方固定片８０を固定することができる。そのため、固定片用床フランジ２００においても、新たな前方固定片８０を取り付ける際に、床面１０に新しくネジ穴をあけることがないため、排水管２０の床下配管部２２や床下暖房配線１２などを傷つけてしまうのを抑制することができる。
【００４７】
最後に、図９を用いて、新しい排水ソケット６０、及び、新しい前方固定片８０に、新しい水洗大便器７０を取り付ける工程について説明する。図９（ａ）は床面１０に対して新しい水洗大便器７０を取り付けた状態を示す平面図、図９（ｂ）は図９（ａ）のＨ−Ｈ線における断面図である。
【００４８】
図９（ａ）、及び、（ｂ）に示すように、床面１０に固定された第１実施形態の床フランジ１００に設けられたボルト７２、及び、床面１０に固定された固定片用床フランジ２００に取り付けられている新しい前方固定片８０に対して、新しい水洗大便器７０が固定される。図９（ａ）、及び、（ｂ）に示すように、新しい水洗大便器７０は、その後方部を第１実施形態の床フランジ１００に設けられたボルト７２で固定される。また、前方部は新しい水洗大便器７０の外面部からネジ７４を挿し込み、固定片用床フランジ２００に取り付けられている新しい前方固定片８０にネジ止めすることで固定される。また、新しい排水ソケット６０及び、新しい前方固定片８０は、床フランジ１００及び、固定片用床フランジ２００を介して床面１０に固定されているため、これら床フランジ１００及び、固定片用床フランジ２００の厚みの分だけ、新しい水洗大便器７０と床面１０との間に隙間が生じる。そのため、新しい水洗大便器７０と床面１０との間には、この隙間を塞ぐために隙間埋め部材８４が挟まれている。
【００４９】
＜変形例＞
以上、本願の開示する技術の実施形態について説明したが、本願の開示する技術は上記に限定されるものではない。例えば、図７において、中間面１１６は傾斜面になっていると説明したが、図１０に示すように、中間面１１６はフランジ部１１０の下端面１１８から上端面１１４に向けて凹んだように設けられていても良い。
【００５０】
また、新しい排水ソケット６０のネジ穴位置６６を床フランジ１００に転写する際には、型紙９０を用いて転写すると説明したが、これに限定されるものではなく、例えば、既存の排水ソケット４０のネジ穴位置４６を転写するのと同様に、床フランジ１００に新しい排水ソケット６０を重ねてネジ穴位置６６の転写を行っても良い。
【００５１】
また、図１において、第１実施形態の床フランジ１００は、フランジ部１１０に設けられる目印部１２０が開口１１２の中心を頂点として４方向に形成されていると説明したが、これに限定されるものではなく、例えば、開口１１２の中心を頂点として、５方向に形成されていても良いし、６方向に形成されていても良く、目印部１２０の数は少なくとも３方向以上に形成されていれば良い。
【００５２】
また、図１において、第１実施形態の床フランジ１００に設けられている目印部１２０は、Ａ−Ａ線に沿って形成される直線状のものであるとして説明したが、目印部１２０の形状はこれに限定されるものではない。目印部１２０の形状は点線であったり、三角形形状など、既存の排水ソケット４０、新しい排水ソケット６０、及び、型紙９０の位置合わせを行うことができれば良い。
【００５３】
前述した各実施形態が備える各要素は、技術的に可能な限りにおいて組み合わせることができ、これらを組み合わせたものも本発明の特徴を含む限り本発明の範囲に包含される。
【符号の説明】
【００５４】
１０：床面
１２：床下暖房配線
１４：不陸
１６：モルタル
２０：排水管
２２：床下配管部
３０：既存の水洗大便器
４０：既存の排水ソケット
４２：ボルト
４４：ネジ
４５：ネジ穴
４６：ネジ穴位置
４８：位置調整用凸部
５０：既存の前方固定片
５２：ネジ
５３：ネジ穴
５４：ネジ穴位置
６０：新しい排水ソケット
６２：ネジ
６６：ネジ穴位置
７０：新しい水洗大便器
７２：ボルト
７４：ネジ
８０：新しい前方固定片
８２：ネジ
８３：ネジ穴
８４：ボルト
９０：型紙
９２：位置調整用中心線
９４：型紙
９６：位置調整用中心線
１００：床フランジ
１１０：フランジ部
１１２：開口
１１４：上端面
１１６：中間面
１１８：下端面
１２０：目印部
１２２：床固定用ネジ穴
１２４：排水ソケット固定用ネジ穴
１２６：凹部
２００：固定片用床フランジ
２０２：上端面
２０４：下端面
２０６：凹部
２０８：溝部
２１０：床固定用穴加工部
２１２：ボルト
【図１】
2016069847.tif 000003
【図２】
2016069847.tif 000004
【図３】
2016069847.tif 000005
【図４】
2016069847.tif 000006
【図５】
2016069847.tif 000007
【図６】
2016069847.tif 000008
【図７】
2016069847.tif 000009
【図８】
2016069847.tif 000010
【図９】
2016069847.tif 000011
【図１０】
2016069847.tif 000012